(57)【要約】【課題】折り曲げローラを用いつつも、画像欠陥を防止できる画像形成装置を提供する。【解決手段】画像担持体を有しており、その駆動によって画像担持体上の潜像をトナーで現像し、トナー像を形成する画像形成部(6)と、駆動及び従動ローラ間に掛け回されており、その駆動によってトナー像を用紙に直接的若しくは間接的に転写させるベルト部材(14)と、ベルト部材と画像担持体との当接面(14a)を押圧し、ベルト部材を逆側に屈曲させるとともに、その軸線方向の両端開口(28,31)を連通した通路(34)を有する折り曲げローラ(24)と、通路に外気による気流を発生させて折り曲げローラを冷却する冷却手段(40)とを具備する。【選択図】図４
2010020127.tif 000002
【特許請求の範囲】
【請求項１】
画像担持体を有しており、その駆動によって該画像担持体上の潜像をトナーで現像し、トナー像を形成する画像形成部と、
駆動及び従動ローラ間に掛け回されており、その駆動によって前記トナー像を用紙に直接的若しくは間接的に転写させるベルト部材と、
該ベルト部材と前記画像担持体との当接面を押圧し、該ベルト部材を逆側に屈曲させるとともに、その軸線方向の両端開口を連通した通路を有する折り曲げローラと、
該通路に外気による気流を発生させて該折り曲げローラを冷却する冷却手段と
を具備することを特徴とする画像形成装置。
【請求項２】
請求項１に記載の画像形成装置であって、
前記冷却手段は、一方の開口の近傍に配置され、該折り曲げローラとは独立して回転可能に構成されており、該一方の開口から前記通路を介して他方の開口に向けて気流を発生させる送風ファンであることを特徴とする画像形成装置。
【請求項３】
請求項２に記載の画像形成装置であって、
前記冷却手段は、該他方の開口の近傍に配置され、該折り曲げローラとは独立して回転可能に構成されており、前記通路から該他方の開口に向けて気流を発生させる他の送風ファンであることを特徴とする画像形成装置。
【請求項４】
請求項１に記載の画像形成装置であって、
前記冷却手段は、前記通路に配設され、該折り曲げローラとは独立して回転可能に構成されており、一方の開口から前記通路を介して他方の開口に向けて気流を発生させるスパイラル形状部材であることを特徴とする画像形成装置。
【請求項５】
請求項１又は２に記載の画像形成装置であって、
前記冷却手段は、一方の開口に配置され、該折り曲げローラの回転に伴って回転可能に構成されており、該一方の開口から前記通路を介して他方の開口に向けて気流を発生させる羽根形状部材であることを特徴とする画像形成装置。
【請求項６】
請求項１又は２に記載の画像形成装置であって、
前記冷却手段は、前記通路に配設され、該折り曲げローラの回転に伴って回転可能に構成されており、一方の開口から前記通路を介して他方の開口に向けて気流を発生させるスパイラル形状部材であることを特徴とする画像形成装置。
【発明の詳細な説明】
【技術分野】
【０００１】
本発明は、転写ベルトを用いて画像を形成する画像形成装置に関する。
【背景技術】
【０００２】
この種の画像形成装置では、画像担持体（例えば感光体ドラム）を有しており、ドラムの表面にはトナー像が現像される。そして、このトナー像は転写ベルトを介して用紙に転写される。
ここで、当該転写ベルトは、駆動ローラと従動ローラとの間に掛け回されているが、さらに、この転写ベルトの転写面をドラムとは別の位置で押圧させた構成が知られている（例えば、特許文献１参照）。
【０００３】
詳しくは、折り曲げローラが、転写ベルトの回転方向で見てドラムや用紙との転写位置よりも下流側に配置されており、当該ローラは転写ベルトをその内側に向けて凸形状、つまり、逆側に屈曲させる。これにより、転写ベルトのレイアウトの自由度が高くなる。
【０００４】
【特許文献１】特開平８−１４６７０６号公報
【発明の開示】
【発明が解決しようとする課題】
【０００５】
しかしながら、上記従来の技術では、画像欠陥を引き起こすとの問題がある。
詳しくは、これら転写ベルトや折り曲げローラは、定着部からの熱、或いは、両面印刷が可能な画像形成装置の場合には当該用紙からの熱によって熱せられることがあり、その温度が仮にトナーのガラス転移点温度に上昇した場合には、折り曲げローラの表面に溶融したトナーが付着する。
【０００６】
そして、これでは、転写ベルトの走行が不安定になり、転写ベルトの転写面に傷やトナーが付着し、また、カラー印刷可能な画像形成装置の場合にはカラーレジスト性能の悪化が生ずるからである。
そこで、本発明の目的は、上記課題を解消し、折り曲げローラを用いつつも、画像欠陥を防止できる画像形成装置を提供することである。
【課題を解決するための手段】
【０００７】
上記目的を達成するための第１の発明は、画像担持体を有しており、その駆動によって画像担持体上の潜像をトナーで現像し、トナー像を形成する画像形成部と、駆動及び従動ローラ間に掛け回されており、その駆動によってトナー像を用紙に直接的若しくは間接的に転写させるベルト部材と、ベルト部材と画像担持体との当接面を押圧し、ベルト部材を逆側に屈曲させるとともに、その軸線方向の両端開口を連通した通路を有する折り曲げローラと、通路に外気による気流を発生させて折り曲げローラを冷却する冷却手段とを具備する。
【０００８】
第１の発明によれば、ベルト部材は、駆動及び従動ローラ間に掛け回されているが、このベルト部材は、折り曲げローラによって画像担持体との当接面が押圧されており、逆側に屈曲している。これにより、画像形成装置の省スペース化が図られる。
ここで、これらベルト部材や折り曲げローラは熱せられる可能性が高く、その温度が仮にトナーのガラス転移点温度に上昇した場合には、折り曲げローラの表面に溶融したトナーが付着して画像欠陥を引き起こすとの懸念がある。
【０００９】
しかしながら、本発明の折り曲げローラは、中空構造、つまり、その軸線方向の両端開口を連通した通路を有しており、この通路内の空気は外気を用いた冷却手段で冷却されているので、折り曲げローラの表面が冷却可能になる。よって、画像欠陥を防止できる結果、画像形成装置の信頼性向上に寄与する。
【００１０】
第２の発明は、第１の発明の構成において、冷却手段は、一方の開口の近傍に配置され、折り曲げローラとは独立して回転可能に構成されており、一方の開口から通路を介して他方の開口に向けて気流を発生させる送風ファンであることを特徴とする。
第２の発明によれば、第１の発明の作用に加えてさらに、送風ファンが、折り曲げローラの一方の開口の近傍に配置され、この通路の空気を冷却していることから、画像欠陥を確実に防止できる。
また、この送風ファンは、折り曲げローラの回転とは別個独立に回転できるので、この通路の空気を所望の温度に冷却可能になる。
【００１１】
第３の発明は、第２の発明の構成において、冷却手段は、他方の開口の近傍に配置され、折り曲げローラとは独立して回転可能に構成されており、通路から他方の開口に向けて気流を発生させる他の送風ファンであることを特徴とする。
第３の発明によれば、第２の発明の作用に加えてさらに、他の送風ファンが、折り曲げローラの他方の開口の近傍にも配置されると、この通路の気流を増すことできる。よって、画像欠陥をより確実に防止できる。
【００１２】
第４の発明は、第１の発明の構成において、冷却手段は、通路に配設され、折り曲げローラとは独立して回転可能に構成されており、一方の開口から通路を介して他方の開口に向けて気流を発生させるスパイラル形状部材であることを特徴とする。
第４の発明によれば、第１の発明の作用に加えてさらに、スパイラル形状部材が通路に配設され、この通路の空気を冷却しているので、この場合にも画像欠陥を確実に防止できる。
また、このスパイラル形状部材は、折り曲げローラの回転とは別個独立に回転でき、この通路の空気を所望の温度に冷却可能になる。
【００１３】
第５の発明は、第１や第２の発明の構成において、冷却手段は、一方の開口に配置され、折り曲げローラの回転に伴って回転可能に構成されており、一方の開口から通路を介して他方の開口に向けて気流を発生させる羽根形状部材であることを特徴とする。
第５の発明によれば、第１や第２の発明の作用に加えてさらに、羽根形状部材が折り曲げローラの一方の開口に配置され、この通路の空気を冷却しているので、この場合にも画像欠陥を確実に防止できる。
【００１４】
さらに、この羽根形状部材は、折り曲げローラの回転に伴って回転していることから、制御の簡略化が可能になる。
また、送風ファンが、折り曲げローラの一方の開口近傍に配置されると、この通路の空気をさらに冷却可能になり、画像欠陥をより一層確実に防止できる。
【００１５】
第６の発明は、第１や第２の発明の構成において、冷却手段は、通路に配設され、折り曲げローラの回転に伴って回転可能に構成されており、一方の開口から通路を介して他方の開口に向けて気流を発生させるスパイラル形状部材であることを特徴とする。
第６の発明によれば、第１や第２の発明の作用に加えてさらに、スパイラル形状部材が通路に配設され、この通路の空気を冷却している。よって、この場合にも画像欠陥を確実に防止できる。
【００１６】
さらに、このスパイラル形状部材は、折り曲げローラの回転に伴って回転しているので、制御の簡略化が可能になるし、また、送風ファンが、折り曲げローラの一方の開口近傍に配置されると、この通路の空気をさらに冷却可能になり、画像欠陥をより一層確実に防止できる。
【発明の効果】
【００１７】
本発明によれば、折り曲げローラの表面が冷却されており、当該ローラを用いつつも、画像欠陥を防止可能な画像形成装置を提供することができる。
【発明を実施するための最良の形態】
【００１８】
以下、本発明の実施形態について図面を参照しながら説明する。
図１は、第１実施例であるタンデム方式のカラープリンタの概略構成図であり、同図の右方向がプリンタ１の正面に対応し、左方向が背面に対応している。
同図に示されるように、この装置本体２の下部には用紙のカセット３が配置されており、カセット３には画像形成前の用紙Ｐが積層状態で収容され、この用紙Ｐは１枚ずつ分離され、カセット３から右方向に向けて送出される。
【００１９】
カセット３から送出された用紙Ｐは、用紙搬送路４を介して本体２の左方向に向けて搬送される。この本体２の内部には、用紙搬送方向で見て下流側にレジストローラ５、画像形成部６、転写部１７及び定着部１８が順番に配置されており、定着部１８から排出された用紙Ｐは用紙搬送路２０を経て排紙トレイ２２に排出される。
ここで、本実施例の画像形成部６は、４つの画像形成ユニット６Ｃ，６Ｍ，６Ｙ，６Ｂで構成されている。
【００２０】
これら各ユニット６Ｃ，６Ｍ，６Ｙ，６Ｂは、プリンタ１の背面側から正面側に向けて順に配列され、異なる４色（シアン、マゼンタ、イエロー及びブラック）の画像に対応して設けられており、それぞれ帯電、露光、現像及び転写の各工程を通じてシアン、マゼンタ、イエロー及びブラックの画像を順次形成している。
【００２１】
具体的には、各ユニット６Ｃ，６Ｍ，６Ｙ，６Ｂには、各対応色の可視像（トナー像）を担持する感光体ドラム（画像担持体）７がそれぞれ設けられている。各ドラム７は本体２に対して回転自在に設置され、図示しない駆動モータによって同図の反時計回りに駆動する。
また、各ドラム７の周囲の適宜位置には、それぞれ対応する帯電器８、露光装置（ＬＥＤプリントヘッドユニット等）９、現像器１０、中間転写ローラ１２、摺擦ローラ１３が設けられている。
【００２２】
帯電器８は中間転写ローラ１２の反対側に配置されており、対応する各ドラム７の表面を一様に帯電させる。また、露光装置９は、ドラム７の回転方向で見て帯電器８の下流側に配置され、対応する各表面に向けてレーザ光を照射する。
現像器１０は、ドラム７の回転方向で見て露光装置９の下流側に配置されており、各コンテナ１１Ｃ，１１Ｍ，１１Ｙ，１１Ｂからシアン、マゼンタ、イエロー及びブラックのトナーがそれぞれ供給され、これら各色のトナーをドラム７の表面に静電的に付着させる。
【００２３】
これにより、各ドラム７の表面には、露光装置９による静電潜像に応じたトナー像が現像される。そして、これら各ドラム７上に形成されたトナー画像は、転写ベルト（ベルト部材）１４を介して用紙に転写される。
詳しくは、上記ベルト１４は、誘電体樹脂製のシート材の両端部分を重ね合わせて接合したエンドレス形状のベルトや、継ぎ目を有しないシームレスのベルトが用いられており、図２にも示されるように、駆動ローラ１５と従動ローラ１６との間に掛け回され、固定ハウジング３２内に設置された駆動モータによって同図の時計回りに走行する。
【００２４】
なお、誘電体樹脂製のシート材としては、例えばポリエチレンテレフタレート樹脂製のシート（ＰＥＴシート）、ポリフッ化ビニリデン樹脂製のシート（ＰＶＤＦシート）などの高抵抗高分子誘電体樹脂性のシートが使用可能である。
また、このベルト１４は、ドラム７と中間転写ローラ１２との間を走行しており、これにより、各ドラム７上に形成されたトナー像は転写面（当接面）１４ａに順次転写されて１ページ分のトナー像として合成される。その後、転写面１４ａのトナー像は、転写部１７にて、レジストローラ５から送出された用紙Ｐに間接的に転写（２次転写）され、定着部１８に向けて転送される。
【００２５】
一方、摺擦ローラ１３は、ドラム７の回転方向で見て帯電器８の上流側に配置される。このローラ１３は、対応する各ドラム７の表面に接触可能に構成されており、駆動モータによって同図の反時計回りに駆動することにより、この表面を研磨している。なお、各ドラム７上に残留したトナーは図示しないクリーニング装置で除去される。
【００２６】
上述したベルト１４は、従動ローラ１６側が駆動ローラ１５側を支点として回動自在に支持されている。
詳しくは、図２に示される如く、従動ローラ１６の近傍にはベルト接離機構３０が設置され、この接離機構３０がベルト１４を各ドラム７に対して接触及び離間させる。
【００２７】
具体的には、このベルト接離機構３０は、固定ハウジング３２に設置された他のモータを有し、当該モータの駆動軸はギアユニットを介してハウジング作動部３６に接続され、また、この作動部３６の裏面側には可動ハウジング３４が設けられている。
そして、カラー印刷時には、作動部３６が可動ハウジング３４を固定ハウジング３２に対して持ち上げており、ベルト１４が各ドラム７の総てに接触する（図２）。
【００２８】
一方、モノクロ印刷時には、ベルト１４はブラックの画像を形成するドラム７のみに接触し、他の三色分のドラム７から離間させる。モノクロ印刷時には当該三色のトナーは使用しないにも拘わらず、仮に、ベルト１４と各ドラム７とが依然として接触したままでは、このトナーの帯電量が大きくなり、その後に使用できなくなるからである。
【００２９】
そこで、上記モータを再度駆動させると、作動部３６が可動ハウジング３４から離れるので、このハウジング３４は図示しないスプリングの付勢力によって下降する。これにより、ベルト１４がユニット６Ｂのドラム７に接触する一方、このベルト１４はユニット６Ｃ，６Ｍ，６Ｙのドラム７から離間することになる（図３）。
【００３０】
ところで、このベルト１４には、折り曲げローラ２４が定着部１８の近傍に設けられている。
具体的には、この折り曲げローラ２４は、ベルト１４の搬送方向で見て転写部１７の下流側であって、従動ローラ１６の上流側の適宜位置に配設されており、転写面１４ａをベルト１４の内側に向けて押圧している。これにより、このベルト１４は、逆側、換言すれば、ベルト１４の内側に向けて凸形状に屈曲されることになる。
【００３１】
ここで、本実施例の折り曲げローラ２４は、冷却手段で冷却可能に構成されている。より詳しくは、図４に示される如く、ローラ２４は中空構造をなし、その円筒形状の表面２５の内側には通路３４が形成されている。
また、ローラ２４の軸線方向の両端面２６，２９には、外気導入口（一方の開口）２８及び外気導出口（他方の開口）３１がそれぞれ形成され、通路３４に連通している。
【００３２】
そして、本実施例では、送風ファン４０が外気導入口２８の近傍に配置される。このファン４０は、ローラ２４とは独立して回転可能に構成されており、図示しないモータによってその回転軸が駆動すると、外気が外気導入口２８から通路３４内に導入され、外気導出口３１に向けて送られる。この結果、通路３４内の空気が冷却され、ローラ２４の表面２５が冷却される。
【００３３】
なお、上述した外気導出口３１の近傍にも、他の送風ファンを排出側の冷却手段として設置されていても良く、ローラ２４とは独立して回転可能に構成すれば、通路３４内から外気導出口３１に向けて、つまり、上記吸引側の送風ファン４０の場合と同じ方向の気流が発生可能になる。
【００３４】
そして、上述したプリンタ１では、カセット３から用紙Ｐが１枚ずつ分離して送出され、この用紙Ｐはレジストローラ５に到達する。このローラ５は、用紙Ｐの斜め送りを矯正しつつ、各ドラム７や転写ローラ１２等による画像転写動作のタイミングを計りながら、用紙Ｐを転写部１７に向けて送出する。
また、プリンタ１では露光装置９によるレーザ光の照射が制御される。これにより、画像形成部６において各ドラム７上に原稿画像の静電潜像が作られ、続いてこの潜像から各ドラム７上にトナー像が形成され、ベルト１４を介して用紙Ｐに転写される。用紙Ｐは未定着トナー像を担持した状態で定着部１８に向けて送られ、カラー画像或いはモノクロ画像が形成された後、搬送路２０を通ってトレイ２２に排出される。
【００３５】
ところで、上述の冷却手段は、折り曲げローラ自体に設けられても良い。
詳しくは、図５に示された折り曲げローラ２４Ａもまた、中空構造をなし、その表面２５内には通路３４が形成されるが、ローラ２４の軸線方向の両端にはフランジ３０，３０が設置されている。
そして、この例では、スパイラル形状部材（冷却手段）４４が通路３４に配設されている。当該部材４４は、ローラ２４とは独立して回転可能な回転軸４６と、この軸４６の周壁に形成された螺旋部４７とからなり、この回転軸４６が駆動すると、外気がフランジ３０の外気導入口２８から通路３４内に導入され、フランジ３０の外気導出口３１に向けて送られることになる。
【００３６】
一方、上述の冷却手段は、折り曲げローラの回転に伴って回転可能に構成されていても良い。
具体的には、図６に示された折り曲げローラ２４Ｂのフランジ３０，３０には、羽根形状部材（冷却手段）５０，５２が設けられており、ローラ２４Ｂが駆動すると、外気が外気導入口２８から通路３４内に導入され、外気導出口３１に向けて送られる。
【００３７】
また、図７に示された折り曲げローラ２４Ｃの通路３４の内壁には、スパイラル形状部材（冷却手段）５４が設けられている。この部材５４は螺旋部５７を有し、図６のローラ２４Ｂの場合と同様に、ローラ２４Ｃが駆動すると、外気が外気導入口２８から通路３４内に導入され、外気導出口３１に向けて送られることになる。
【００３８】
さらに、図８（ａ）に示されるように、上述したファン４０と羽根形状部材５０，５２とを組み合わせた折り曲げローラ２４Ｄも可能であるし、さらにまた、同図（ｂ）に示される如く、上述したファン４０とスパイラル形状部材５４とを組み合わせた折り曲げローラ２４Ｅであっても良い。
【００３９】
以上のように、各実施例によれば、転写ベルト１４は、駆動及び従動ローラ１５，１６に掛け回されているが、このベルト１４は、折り曲げローラ２４〜２４Ｅによって転写面１４ａが押圧されており、ベルト１４の内側に向けて凸形状に屈曲している。これにより、ベルト１４の巻き掛け角が大きくなってベルト１４は滑り難くなるし、プリンタ１の省スペース化が図られる。
【００４０】
ここで、これらベルト１４や折り曲げローラ２４は、定着部１８からの熱によって熱せられる可能性が高く、その温度が仮にトナーのガラス転移点温度に上昇した場合には、折り曲げローラ２４〜２４Ｅの表面２５に溶融したトナーが付着してしまう。
しかしながら、本実施例の折り曲げローラ２４〜２４Ｅは、中空構造、つまり、その軸線方向の両端開口である外気導入口２８及び外気導出口３１を連通した通路３４を有しており、この通路３４内の空気は外気を用いて冷却されているので、その表面２５を冷却可能になる。よって、ローラ２４は熱せられ難くなり、画像欠陥を防止できる結果、プリンタ１の信頼性向上に寄与する。
【００４１】
また、図４に示されるように、送風ファン４０がローラ２４の外気導入口２８の近傍に配置され、この通路３４の空気を冷却していることから、画像欠陥を確実に防止できる。しかも、このファン４０は、ローラ２４の回転とは別個独立に回転できるので、この通路３４の空気を所望の温度に冷却可能になる。
さらに、外気導出口３１の近傍にも他の送風ファンが配置されると、この通路３４の気流を増すことでき、画像欠陥をより確実に防止できる。
【００４２】
さらにまた、図５に示される如く、スパイラル形状部材４４が通路３４に配設され、この通路３４の空気を冷却しているので、この場合にも画像欠陥を確実に防止できる。しかも、この部材４４もまた、ローラ２４の回転とは別個独立に回転でき、この場合にも通路３４の空気を所望の温度に冷却可能になる。
また、図６に示された羽根形状部材５０，５２が外気導入口２８や外気導出口３１にそれぞれ配置され、この通路３４の空気を冷却しているので、この場合にも画像欠陥を確実に防止できる。しかも、この部材５０，５２は、ローラ２４の回転に伴って回転していることから、制御の簡略化が可能になる。
【００４３】
さらに、図８（ａ）に示されるように、羽根形状部材５０，５２の他、送風ファン４０が外気導入口２８の近傍に配置されると、この通路３４の空気をさらに冷却可能になり、画像欠陥をより一層確実に防止できる。
さらにまた、図７に示される如く、スパイラル形状部材５４が通路３４に配設され、この通路３４の空気を冷却している。よって、この場合にも画像欠陥を確実に防止できる。しかも、この部材５４もまた、ローラ２４の回転に伴って回転しているので、制御の簡略化が可能になる。
【００４４】
また、図８（ｂ）に示されるように、スパイラル形状部材５４に加え、送風ファン４０が外気導入口２８の近傍に配置されると、この通路３４の空気をさらに冷却可能になり、画像欠陥をより一層確実に防止できる。
本発明は、上記実施例に限定されず、特許請求の範囲を逸脱しない範囲で種々の変更を行うことができる。例えば上記実施例の各構成は、その一部を省略したり、上記とは異なるように任意に組み合わせることができる。
【００４５】
また、本発明の転写ベルトは、駆動ローラ１５と従動ローラ１６との間に掛け回される限り、中間転写ベルトとは異なる転写ベルト、すなわち、各ドラム７上に形成されたトナー像をレジストローラ５から送出された用紙Ｐに次々に直接的に転写する場合にも適用できるし、モノクロ印刷のみ可能なプリンタにも適用可能である。
【００４６】
さらに、本発明の折り曲げローラは、定着部１８の熱の影響を受け難い位置に配置されていても良い。つまり、両面印刷が可能なプリンタの場合にも折り曲げローラが熱せられるとの同様の問題があるからである。
また、本発明の画像担持体は４つの感光体ドラムに限定されるものではなく、さらに、上記実施例では画像形成装置としてプリンタに具現化した例を示しているが、本発明の画像形成装置は複合機、複写機やファクシミリ等にも当然に適用可能である。
【図面の簡単な説明】
【００４７】
【図１】第１実施例の画像形成装置の概略構成図である。
【図２】図１におけるカラー印刷時の状態を示す図である。
【図３】図１におけるモノクロ印刷時の状態を示す図である。
【図４】図１の折り曲げローラの説明図である。
【図５】第２実施例の折り曲げローラの説明図である。
【図６】第３実施例の折り曲げローラの説明図である。
【図７】第４実施例の折り曲げローラの説明図である。
【図８】第５実施例の折り曲げローラの説明図である。
【符号の説明】
【００４８】
６  画像形成部
７  感光体ドラム（画像担持体）
１４  転写ベルト（ベルト部材）
１４ａ  転写面（当接面）
１５  駆動ローラ
１６  従動ローラ
２４，２４Ａ，２４Ｂ，２４Ｃ，２４Ｄ，２４Ｅ  折り曲げローラ
２５  表面
２８  外気導入口（一方の開口）
３１  外気導出口（他方の開口）
３４  通路
４０  送風ファン（冷却手段）
４４  スパイラル形状部材（冷却手段）
５０，５２  羽根形状部材（冷却手段）
５４  スパイラル形状部材（冷却手段）
【図１】
2010020127.tif 000003
【図２】
2010020127.tif 000004
【図３】
2010020127.tif 000005
【図４】
2010020127.tif 000006
【図５】
2010020127.tif 000007
【図６】
2010020127.tif 000008
【図７】
2010020127.tif 000009
【図８】
2010020127.tif 000010